(57)【特許請求の範囲】
【請求項１】
オプション機器とその上に設置される画像形成装置本体にドロワコネクタをそれぞれ設け、前記画像形成装置本体に前記ドロワコネクタとは別に給電スイッチを設け、画像形成装置本体がオプション機器上に設置されて両ドロワコネクタが確実に接続された後に前記給電スイッチがＯＮして画像形成装置本体からオプション機器への給電がなされるよう構成した電気的接続機構において、
前記オプション機器に、前記ドロワコネクタが取り付けられたスライダと本体検知レバーを上下動可能に設けるとともに、前記スライダに長孔係合によって連結されたドロワ上昇レバーを回動可能に設け、前記画像形成装置本体が前記オプション機器上に設置される前の状態において前記ドロワ上昇レバーの回動をロックするロック手段を設け、前記画像形成装置本体が前記オプション機器上に設置される動作によって前記本体検知レバーが押し下げられることによって前記ロック手段による前記ドロワ上昇レバーの回動ロックを解除し、該ドロワ上昇レバーの手動による回動操作によって前記スライダをこれに取り付けられたドロワコネクタと共に上昇させて画像形成装置本体側のドロワコネクタに接続するとともに、前記給電スイッチをＯＮするよう構成したことを特徴とする電気的接続機構。
【請求項２】
前記ロック手段を、前記本体検知レバーに形成されたロック爪と、前記ドロワ上昇レバーに設けられて前記ロック爪に係脱するロックピンとで構成したことを特徴とする請求項１記載の電気的接続機構。
【請求項３】
前記本体検知レバーと前記ドロワ上昇レバーを上下動可能に収容保持するハウジングにカム溝を形成し、前記ドロワ上昇レバーに突設されたピンボスを前記カム溝に挿通係合させ、該ピンボスの前記カム溝から突出する端部に手動操作用の把手を取り付けたことを特徴とする請求項１又は２記載の電気的接続機構。
【請求項４】
前記ドロワ上昇レバーを押し下げる方向に付勢する付勢手段を設けるとともに、前記スライダが上限位置にあるときに前記ピンボスが嵌合する嵌合凹部を前記カム溝に形成したことを特徴とする請求項３記載の電気的接続機構。
【請求項５】
請求項１〜４の何れかに記載の電気的接続機構を備えることを特徴とする画像形成装置。
【発明の詳細な説明】
【技術分野】
【０００１】
本発明は、画像形成装置本体がオプション機器上に設置されて両者に設けられたドロワコネクタ同士が確実に接続された後に給電スイッチがＯＮして画像形成装置本体からオプション機器への給電がなされるよう構成した電気的接続機構とこれを備えた画像形成装置に関するものである。
【背景技術】
【０００２】
電子写真方式によって用紙に画像を形成する複写機やプリンタ等の画像形成装置には、オプション機器としてペーパーフィーダを増設する場合がある。この場合、ペーパーフィーダの上に画像形成装置本体が位置決めされて載置されるが、画像形成装置本体側からペーパーフィーダ側に給電するために両者を電気的に接続する必要がある。
【０００３】
ペーパーフィーダ等のオプション機器のセットアップは従来はサービスマンが行うことが多く、オプション機器と画像形成装置本体との電気的な接続は専ら電線を用いて行うことが多かった。
【０００４】
ところが、近年、オプション機器のセットアップをユーザーが行うケースも増えてきており、オプション機器と画像形成装置本体との電気的な接続を電線が一切不要なドロワコネクタによって行うようにしている。この場合、例えばオプション機器側のドロワコネクタが突出していると、ユーザーが画像形成装置本体をオプション機器の上に設置する際にドロワコネクタに画像形成装置本体をぶつけてドロワコネクタを損傷させる可能性がある。
【０００５】
そこで、特許文献１には、オプション機器単体（画像形成装置本体が載置されていない状態）ではドロワコネクタが退避しており、その上に画像形成装置本体が設置されると、その動作に連動してドロワコネクタが接続位置へと突出して画像形成装置本体側のドロワコネクタに接続される構成が提案されている。
【先行技術文献】
【特許文献】
【０００６】
【特許文献１】特開平７−２９５３１９号公報
【発明の概要】
【発明が解決しようとする課題】
【０００７】
特許文献１において提案された構成によれば、オプション機器に画像形成装置本体を設置する際にはオプション機器側のドロワコネクタは退避しているために損傷の問題は発生しないが、画像形成装置本体側のドロワコネクタとオプション機器側のドロワコネクタとが不完全に接続された状態でも画像形成装置本体側からオプション機器側に給電がなされるという不具合が発生する可能性がある。
【０００８】
そこで、画像形成装置本体のオプション機器上への設置動作に連動してオプション機器側のドロワコネクタを上昇させてこれを画像形成装置本体側のドロワコネクタに接続するとともに、画像形成装置本体の最後の下降ストロークを利用して画像形成装置本体側に設けられた給電スイッチをＯＮするよう構成し、画像形成装置本体とオプション機器にそれぞれ設けられたドロワコネクタ同士の接続が不完全である状態での画像形成装置本体からオプション機器への給電を防いで高い安全性を確保することが考えられる。
【０００９】
ところが、上記のような構成であっても、画像形成装置本体をオプション機器上に設置する前の状態でのユーザーの操作によってオプション機器側のドロワコネクタが意に反して上昇し、該ドロワコネクタがオプション機器の上面から上方へ突出するために該ドロワコネクタが外力によって損傷する等の不具合が発生する可能性がある。
【００１０】
本発明は上記問題に鑑みてなされたもので、その目的とする処は、ドロワコネクタを損傷等から防いでこれを保護するとともに、画像形成装置本体側とオプション機器側のドロワコネクタ同士の接続不良による不具合の発生を防ぐことができる電気的接続機構及びこれを備えた画像形成装置を提供することにある。
【課題を解決するための手段】
【００１１】
上記目的を達成するため、請求項１記載の発明は、オプション機器とその上に設置される画像形成装置本体にドロワコネクタをそれぞれ設け、前記画像形成装置本体に前記ドロワコネクタとは別に給電スイッチを設け、画像形成装置本体がオプション機器上に設置されて両ドロワコネクタが確実に接続された後に前記給電スイッチがＯＮして画像形成装置本体からオプション機器への給電がなされるよう構成した電気的接続機構において、前記オプション機器に、前記ドロワコネクタが取り付けられたスライダと本体検知レバーを上下動可能に設けるとともに、前記スライダに長孔係合によって連結されたドロワ上昇レバーを回動可能に設け、前記画像形成装置本体が前記オプション機器上に設置される前の状態において前記ドロワ上昇レバーの回動をロックするロック手段を設け、前記画像形成装置本体が前記オプション機器上に設置される動作によって前記本体検知レバーが押し下げられることによって前記ロック手段による前記ドロワ上昇レバーの回動ロックを解除し、該ドロワ上昇レバーの手動による回動操作によって前記スライダをこれに取り付けられたドロワコネクタと共に上昇させて画像形成装置本体側のドロワコネクタに接続するとともに、前記給電スイッチをＯＮするよう構成したことを特徴とする。
【００１２】
請求項２記載の発明は、請求項１記載の発明において、前記ロック手段を、前記本体検知レバーに形成されたロック爪と、前記ドロワ上昇レバーに設けられて前記ロック爪に係脱するロックピンとで構成したことを特徴とする。
【００１３】
請求項３記載の発明は、請求項１又は２記載の発明において、前記本体検知レバーと前記ドロワ上昇レバーを上下動可能に収容保持するハウジングにカム溝を形成し、前記ドロワ上昇レバーに突設されたピンボスを前記カム溝に挿通係合させ、該ピンボスの前記カム溝から突出する端部に手動操作用の把手を取り付けたことを特徴とする。
【００１４】
請求項４記載の発明は、請求項３記載の発明において、前記ドロワ上昇レバーを押し下げる方向に付勢する付勢手段を設けるとともに、前記スライダが上限位置にあるときに前記ピンボスが嵌合する嵌合凹部を前記カム溝に形成したことを特徴とする。
【００１５】
請求項５記載の画像形成装置は、請求項１〜４の何れかに記載の電気的接続機構を備えることを特徴とする。
【発明の効果】
【００１６】
本発明によれば、オプション機器側のドロワコネクタはオペレータによる手動操作によって上昇して画像形成装置本体側のドロワコネクタに接続されるが、画像形成装置本体がオプション機器上に設置される前の状態においてはドロワ上昇レバーの回動はロック手段によってロックされているため、オペレータが不用意にドロワ上昇レバーを手動操作してオプション機器側のドロワコネクタを上昇させてオプション機器の上面から突出させる自体の発生が防がれ、ドロワコネクタの外力等による損傷が確実に防がれる。又、画像形成装置本体がオプション機器上に設置される前の状態においてオペレータが本体検知レバーを操作しても、該本体検知レバーとドロワ上昇レバーの回動（オプション機器側のドロワコネクタ）とは連動しないため、ドロワコネクタが回動してオプション機器側のドロワコネクタが上昇することがなく、該ドロワコネクタが意に反してオプション機器の上面から突出することによって損傷する等の不具合の発生が確実に防がれる。
【００１７】
そして、画像形成装置本体がオプション機器上に設置されて両ドロワコネクタが確実に接続された後に給電スイッチがＯＮして画像形成装置本体からオプション機器への給電がなされるよう構成したため、画像形成装置本体側とオプション機器側のドロワコネクタ同士の接続不良による不具合の発生が確実に防がれる。
【００１８】
又、ドロワ上昇レバーを押し下げる方向に付勢する付勢手段を設けるとともに、スライダが上限位置にあるときにドロワ上昇レバーのピンボスが嵌合する嵌合凹部をハウジングのカム溝に形成したため、ドロワ上昇レバーの付勢手段による回動が阻止されてスライダが上限位置に保持され、画像形成装置本体側とオプション機器側の両ドロワコネクタの接続と給電スイッチのＯＮ状態が維持される。
【００１９】
そして、画像形成装置本体を持ち上げてこれをペーパーフィーダから取り外す場合、両ドロワコネクタ同士の接合力によってスライダも画像形成装置本体と共に持ち上げられるため、該スライダに長孔係合するドロワ上昇レバーも持ち上げられる。このようにドロワ上昇レバーが持ち上げられると、これに突設されたピンボスが上昇してカム溝の嵌合凹部との嵌合が外れるため、ドロワ上昇レバーは付勢手段の付勢力によって回動してスライダを押し下げ、スライダに取り付けられたドロワコネクタが下降してハウジング内に収容され、ドロワ上昇レバーとスライダ及びドロワコネクタは画像形成装置本体がペーパーフィーダ上に設置される前の状態に自動的に復帰する。
【図面の簡単な説明】
【００２０】
【図１】本発明に係る画像形成装置の斜視図である。
【図２】オプション機器であるペーパーフィーダの斜視図である。
【図３】（ａ），（ｂ）は画像形成装置本体をペーパーフィーダ上に設置する手順を示す正面図である。
【図４】本発明に係る電気的接続機構の斜視図である。
【図５】本発明に係る電気的接続機構の作用説明図である。
【図６】本発明に係る電気的接続機構の作用説明図である。
【図７】本発明に係る電気的接続機構の作用説明図である。
【図８】本発明に係る電気的接続機構の作用説明図である。
【図９】本発明に係る電気的接続機構の作用説明図である。
【図１０】本発明に係る電気的接続機構の作用説明図である。
【図１１】本発明に係る電気的接続機構の作用説明図である。
【発明を実施するための形態】
【００２１】
以下に本発明の実施の形態を添付図面に基づいて説明する。
【００２２】
図１は本発明に係る画像形成装置の斜視図、図２はペーパーフィーダの斜視図、図３（ａ），（ｂ）は画像形成装置本体をペーパーフィーダ上に設置する手順を示す正面図、図４は本発明に係る電気的接続機構の斜視図、図５〜図１１は同電気的接続機構の作用説明図である。
【００２３】
図１に示す画像形成装置１は、複写機能とプリンタ機能及びファクシミリ機能を備えた複合機（ＭＦＰ）であって、画像形成装置本体２とオプション機器であるペーパーフィーダ（ＰＦ）３とで構成されており、ペーパーフィーダ３は床面上に設置され、その上に画像形成装置本体２が重ねて設置されている。
【００２４】
画像形成装置本体２の上部には画像読取装置４が配設されており、その下方の画像形成部５には不図示の感光ドラム、帯電器、レーザービームスキャナ（ＬＳＵ）等の光走査装置、現像装置、転写装置、定着装置、クリーニング装置等の各種プロセス機器が内蔵されている。又、画像読取装置４の前面側には操作表示部４ａが設けられており、画像読取装置４と画像形成部５との間には排紙トレイ６が形成されている。そして、画像形成部５には手前側に引き出すことができる上下２段の給紙カセット７，８が設けられており、各給紙カセット７，８には複数枚の用紙が収容されている。
【００２５】
他方、ペーパーフィーダ３は、図２に示すように、手前側に引き出すことができる上下２段の給紙カセット９，１０が設けられており、各給紙カセット９，１０には複数枚の用紙が収容されている。そして、このペーパーフィーダ３の画像形成装置本体２が載置される上面の４箇所の各コーナー部にはロック爪１１（図２には３つのみ図示）が設けられており、奥側の左右には位置決めピン１２が立設され、これらの位置決めピン１２の間には本発明に係る電気的接続機構の一部を構成する上下動可能な本体検知レバー１３が垂直に突出している。尚、図示しないが、画像形成装置本体２の底面の位置決めピン１２に対応する箇所には、位置決めピン１２が挿入される位置決め孔が形成されている。
【００２６】
ここで、本発明に係る電気的接続機構の構成と作用を図４〜図１１に基づいて以下に説明する。
【００２７】
図６に示すように、画像形成装置本体２の下部にはドロワコネクタ１４と給電スイッチ１５が固設されており、これらのドロワコネクタ１４と給電スイッチ１５は画像形成装置本体２の内部に収納され、画像形成装置本体２の下面から突出していない。
【００２８】
一方、図４及び図５に示すように、ペーパーフィーダ３には上下動可能に支持されたドロワコネクタ１６が設けられており、このドロワコネクタ１６は、ペーパーフィーダ３の上に画像形成装置本体２が設置される前の状態（図２及び図３（ａ）に示す単体の状態）では図４及び図５に示すようにペーパーフィーダ３の内部に退避してペーパーフィーダ３の上面から突出していない。
【００２９】
而して、本実施の形態では、画像形成装置本体２側のドロワコネクタ１４とペーパーフィーダ３側のドロワコネクタ１６同士が接続され、これらのドロワコネクタ１４，１６にそれぞれ設けられた全てのコネクタピンが電気的に確実に連結された後、図８及び図９に示すように給電スイッチ１５がＯＮされて画像形成装置本体２側からペーパーフィーダ３側への給電を可能としている。
【００３０】
ところで、本実施の形態では、ペーパーフィーダ３側のドロワコネクタ１６は手動によって上昇するよう構成されている。そして、画像形成装置本体２がペーパーフィーダ３上に設置される前の状態においてはドロワコネクタ１６の手動によって上昇はロック手段によって阻止され、その後、画像形成装置本体２がペーパーフィーダ３上に設置される動作によってロック手段によるドロワコネクタ１６のロックが解除されて手動による該ドロワコネクタ１６の上昇が許容されるよう構成されている。
【００３１】
即ち、ペーパーフィーダ３の後面の幅方向中央には上下が貫通した矩形ボックス状のハウジング１７が取り付けられており、このハウジング１７内には前記本体検知レバー１３と矩形ブロック状のスライダ１８がそれぞれ上下動可能に収納保持されるとともに、ドロワ上昇レバー１９が回動可能に収容されている。
【００３２】
上記ハウジング１７には、矩形窓１７ａと、円弧状のカム溝１７ｂ及び上下方向に長い長孔１７ｃが形成されている。
【００３３】
前記スライダ１８の上部には前記ドロワコネクタ１６が取り付けられている。又、このスライダ１８の正面にはハウジング１７の長孔１７ｃに貫通するピンボス１８ａが一体に突設され、スライダ１８の上面の幅方向一端には画像形成装置本体２側に設けられた前記給電スイッチ１５を押圧してこれをＯＮさせる突起状の操作子１８ｂが一体に立設されている。
【００３４】
前記本体検知レバー１３は、上下方向に長い部材であって、その下端部の幅方向一端には上下方向に長いロック爪１３ａが形成されている。尚、この本体検知レバー１３は、スプリング等の不図示の付勢手段によって常時上方に付勢されており、ペーパーフィーダ３上に画像形成装置本体２が設置されていない状態では、図４及び図５に示すようにペーパーフィーダ３の上面から突出している。
【００３５】
前記ドロワ上昇レバー１９には、本体検知レバー１３の下端部に形成された前記ロック爪１３ａに係脱するロックピン１９ａが図５〜図１１の紙面垂直方向奥側に向かって突設されるとともに、ピンボス１９ｂがロックピン１９ａとは逆方向（図５〜図１１の紙面垂直方向手前側）に向かって突設されている。又、ドロワ上昇レバー１９には長孔１９ｃと係止爪１９ｄが形成されている。尚、本体検知レバー１３に形成されたロック爪１３ａとドロワ上昇レバー１９に突設されたロックピン１９ａは、画像形成装置本体２がペーパーフィーダ３上に設置される前の状態においてドロワ上昇レバー１９の回動（ドロワコネクタ１６の上昇）をロックするためのロック手段を構成している。
【００３６】
而して、スライダ１８に突設された前記ピンボス１８ａがドロワ上昇レバー１９の長孔１９ｃとハウジング１７に形成された長孔１７ｃに挿通係合することによってドロワ上昇レバー１９がスライダ１８に長孔係合している。又、ドロワ上昇レバー１９に突設されたピンボス１９ｂは、ハウジング１７のカム溝１７ｂに挿通係合されており、図４に示すように、該ピンボス１９ｂのカム溝１７ｂから突出する端部には手動操作用の把手２０が取り付けられている。そして、図５〜図１１に示すように、ドロワ上昇レバー１９の係止爪１９ｄとハウジング１７の係止段部１７ｄとの間には、ドロワ上昇レバー１９（ドロワコネクタ１６）を押し下げる方向（図の時計方向）に付勢する付勢手段であるスプリング２１が縮装されている。尚、ハウジング１７のカム溝１７ｂの一端には、図９に示すようにドロワ上昇レバーが上限位置にあるときにドロワ上昇レバー１９のピンボス１９ｂが嵌合する嵌合凹部１７ｂ−１が形成されている。
【００３７】
而して、図３（ａ）、図４及び図５に示すように画像形成装置本体２をペーパーフィーダ３上に載置する前の状態では、前述のように本体検知レバー１３がペーパーフィーダ３の上面から垂直に突出するとともに、ドロワ上昇レバー１９が下限位置にあるためにドロワコネクタ１６も下限位置にあってハウジング１７内に収容されている。このとき、図５に示すように、ドロワ上昇レバー１９に突設されたロックピン１９ａは本体検知レバー１３に形成されたロック爪１３ａに係合しているため、把手２０（図４参照）をハウジング１７のカム溝１７ｂに沿って操作してドロワ上昇レバー１９を回すことができず、従って、ドロワ上昇レバー１９に連結されたスライダ１８とこれに取り付けられたドロワコネクタ１６の上昇が阻止される。このため、画像形成装置本体２をペーパーフィーダ３上に載置する前の状態では、ドロワコネクタ１６はハウジング１７内に収容されてペーパーフィーダ３の上面から突出することがなく、該ドロワコネクタ１６の外力等による損傷が確実に防がれる。
【００３８】
上記状態から画像形成装置本体２の底面に形成された不図示の位置決め孔をペーパーフィーダ３側の位置決めピン１２（図２参照）に合わせて画像形成装置本体２を降ろしていくと、図６に示すように、該画像形成装置本体２の底面がペーパーフィーダ３側の本体検知レバー１３に当接してこれを不図示の付勢手段の付勢力に抗して押し下げるため、該本体検知レバー１３に形成されたロック爪１３ａがドロワ上昇レバー１９のロックピン１９ａの下方に位置して両者の係合が解除されるため、ドロワ上昇レバー１９の回動ロックも解除される。
【００３９】
従って、この状態から把手２０を把持してこれをハウジング１７のカム溝１７ｂに沿って図６の矢印方向に移動させると、ドロワ上昇レバー１３が矢印方向（反時計方向）に回動し、該ドロワ上昇レバー１９の長孔１９ｃに係合するピンボス１８ａが形成されたスライダ１７がハウジング１７の長孔１７ｃに沿って垂直に上昇し、図７に示すように、該スライダ１８の上部に取り付けられたドロワコネクタ１６がペーパーフィーダ３の上面から突出して画像形成装置本体２側のドロワコネクタ１４に接続され始める。又、スライダ１８に立設された操作子１８ｂも上昇する。
【００４０】
そして、把手２０を操作してドロワ上昇レバー１９のピンボス１９ｂを図８に示すようにハウジング１７のカム溝１７ｂの端部（上限位置）まで移動させると、スライダ１８とこれに取り付けられたドロワコネクタ１６及びスライダ１８に立設された操作子１８ｂが共に上限位置へと上昇し、両ドロワコネクタ１４，１６のコネクタピン同士が確実に連結されるとともに、スライダ１８に設けられた作動子１８ｂが画像形成装置本体２側に設けられた給電スイッチ１５を押圧してこれをＯＮするため、画像形成装置本体２側からペーパーフィーダ３側への給電が可能となる。この状態からオペレータが把手２０から手を離すと、ドロワ上昇レバー１９がスプリング２１の付勢力によって下降しようとするが、この下降は該ドロワ上昇レバー１９に形成されたピンボス１９ｂが図９に示すようにハウジング１７のカム溝１７ｂの端部（上限端）に形成された嵌合凹部１７ｂ−１に嵌合することによって保持されるため、両ドロワコネクタ１４，１６同士の接続と給電スイッチ１５のＯＮ状態が維持される。又、画像形成装置本体２が図３（ｂ）に示すようにペーパーフィーダ３上に完全に載置されてセットされると、ペーパーフィーダ３の上面に突出する４つの前記ロック爪１１（図２参照）が画像形成装置本体２の底面に形成された不図示の位置決め孔に係合するため、画像形成装置本体２とフェーパーフィーダ３とが連結一体化される。
【００４１】
次に、画像形成装置本体２を持ち上げてこれをペーパーフィーダ３から取り外す場合、両ドロワコネクタ１４，１６同士の接合力によってスライダ１８も画像形成装置本体２と共に持ち上げられるため、該スライダ１８に長孔係合するドロワ上昇レバー１９も持ち上げられる。このようにドロワ上昇レバー１９が持ち上げられると、これに突設されたピンボス１９ｂが図１０に示すように上昇してカム溝１７の嵌合凹部１７ｂ−１との嵌合が外れるため、ドロワ上昇レバー１９はスプリング２１の付勢力によって図１１の矢印方向（時計方向）に回動してスライダ１８を押し下げる。すると、スライダ１８に取り付けられたドロワコネクタ１６が下降してハウジング１７内に収容され、ドロワ上昇レバー１９とスライダ１８及びドロワコネクタ１６は図１に示す状態（画像形成装置本体２がペーパーフィーダ３上に設置される前の状態）に自動的に復帰する。尚、画像形成装置本体２がペーパーフィーダ３から取り外されると、本体検知レバー１３は不図示の付勢手段によって上動して図４及び図５に示すようにペーパーフィーダ３の上面から突出する。
【００４２】
以上のように、本実施の形態では、ペーパーフィーダ３側のドロワコネクタ１６はオペレータによる手動操作によって上昇して画像形成装置本体２側のドロワコネクタ１４に接続されるが、画像形成装置本体２がペーパーフィーダ３上に設置される前の状態においてはドロワ上昇レバー１９の回動はロック手段（ロックピン１９ａとロック爪１３ａ）によってロックされているため、オペレータが不用意にドロワ上昇レバー１９を手動操作してペーパーフィーダ３側のドロワコネクタ１６を上昇させてこれをペーパーフィーダ３の上面から突出させる事態の発生が防がれ、ドロワコネクタ１６の外力等による損傷が確実に防がれる。又、画像形成装置本体２がペーパーフィーダ３上に設置される前の状態においてオペレータが本体検知レバー１３を押圧操作しても、該本体検知レバー１３とドロワ上昇レバー１９の回動（ペーパーフィーダ３側のドロワコネクタ１６）とは連動しないため、ドロワ上昇レバー１９が回動してペーパーフィーダ３側のドロワコネクタ１６が上昇することがなく、該ドロワコネクタ１６が意に反してペーパーフィーダ３の上面から突出することによって損傷する等の不具合の発生が確実に防がれる。
【００４３】
そして、本実施の形態に係る電気的接続機構においては、画像形成装置本体２がペーパーフィーダ３上に設置されて両ドロワコネクタ１４，１６が確実に接続された後に給電スイッチ１５がＯＮして画像形成装置本体２からペーパーフィーダ４への給電がなされるよう構成したため、画像形成装置本体２側とパーパーフィーダ３側のドロワコネクタ１４，１６同士の接続不良による不具合の発生が確実に防がれて高い安全性が確保されるという効果も得られる。
【００４４】
尚、以上は本発明を複合機に対して適用した形態について説明したが、本発明は、単体としての複写機やプリンタ等、他の任意の画像形成装置に対しても同様に適用可能であることは勿論である。又、本発明は、ペーパーフィーダ以外のオプション機器を備える画像形成装置の電気的接続機構に対しても同様に適用可能である。
【符号の説明】
【００４５】
１          画像形成装置
２          画像形成装置本体
３          ペーパーフィーダ（オプション機器）
４          画像読取装置
４ａ        画像読取装置の操作表示部
５          画像形成部
６          排紙トレイ
７〜１０    給紙カセット
１１        ロック爪
１２        位置決めピン
１３        本体検知レバー
１３ａ      本体検知レバーのロック爪
１４        ドロワコネクタ
１５        給電スイッチ
１６        ドロワコネクタ
１７        ハウジング
１７ａ      ハウジングの矩形窓
１７ｂ      ハウジングのカム溝
１７ｂ−１  カム溝の嵌合凹部
１７ｃ      ハウジングの長孔
１７ｄ      ハウジングの係止段部
１８        スライダ
１８ａ      スライダのピンボス
１８ｂ      スライダの操作子
１９        ドロワ上昇レバー
１９ａ      ドロワ上昇レバーのロックピン
１９ｂ      ドロワ上昇レバーのピンボス
１９ｃ      ドロワ上昇レバーの長孔
１９ｄ      ドロワ上昇レバーの係止爪
２０        把手
２１        スプリング（付勢手段）
【図１】
0005412410.tif 000002
【図２】
0005412410.tif 000003
【図３】
0005412410.tif 000004
【図４】
0005412410.tif 000005
【図５】
0005412410.tif 000006
【図６】
0005412410.tif 000007
【図７】
0005412410.tif 000008
【図８】
0005412410.tif 000009
【図９】
0005412410.tif 000010
【図１０】
0005412410.tif 000011
【図１１】
0005412410.tif 000012